(57)【特許請求の範囲】
【請求項１】
シャワー装置本体に上下方向回転変位自在に支持され、複数の温水噴出用ノズルを有する左右一対のアームと、これら一対のアームの間に位置するように配置された着座手段と、前記着座手段に形成した孔を通して入浴者の下半身の特定部位に温水を噴出する温水噴出手段と、前記アームのノズル、および温水噴出手段からの温水噴出を量的に制御する温水制御手段とを具備し、前記温水噴出手段への温水系には水質変換手段を接続したシャワー装置。
【請求項２】
水質変換手段により温水を酸性水に変換するようにした請求項１記載のシャワー装置。
【請求項３】
シャワー装置本体に上下方向回転変位自在に支持され、複数の温水噴出用ノズルを有する左右一対のアームと、これら一対のアームの間に位置するように配置された着座手段と、前記着座手段に形成した孔を通して入浴者の下半身の特定部位に温水を噴出する温水噴出手段と、前記アームのノズル、および温水噴出手段からの温水噴出を量的に制御する温水制御手段と、貯蔵手段に貯蔵された薬剤を温水噴出手段への温水系に混入させる混入手段とを具備したシャワー装置。
【発明の詳細な説明】
【０００１】
【発明の属する技術分野】
本発明はシャワー装置で、特に病院等の医療機関または特別養護老人ホーム等の介護機関において、入浴時に座姿勢でシャワーを利用する装置に関するものである。
【０００２】
【従来の技術】
病院等に入院中の入院患者の人々、または高齢者のための施設に入居中の障害を有する人々の入浴介護は、病院・施設等では最も負担が大きい業務の一つである。通常のバスタ
ブ入浴が可能な入院患者または施設入居者でも、バスタブ内に入ることが困難な場合、介護者が被介護者の体をバスタブに入れるため抱き抱える等の身体的負担を伴う。
【０００３】
また、心負担の影響が大きくバスタブ入浴そのものができない入院患者または施設入居者、または外科病棟においてギブスを装着している等身体拘束要因によりバスタブ入浴が困難な入院患者または施設入居者であれば、清拭などにより体の清潔を保つ必要があり、これも介護者にとって負担となっている。このように入浴介護は介護者にとっては最も疲労が大きく、身体的にもさまざまな障害を生じる原因となっている業務である。
【０００４】
しかし一方被介護者にとっては入浴は、入院中・施設滞在中の最大の楽しみの一つである。在床生活では床ずれ等を防ぐためにも、通常の生活以上に身体の清潔を保つことが重要であり、気分をリフレッシュするためにも欠かせない。しかし入院前または施設入居前であれば普通に自宅のバスタブに入ることができていた人が、入院または施設入居等により制約を受けることは、その楽しみが奪われることであり、精神的な負担にも通じる。また特に病院施設内の入浴設備は、本来の治療等の設備スペースの緊急性・必要性から、入院病棟においても地階など病室からは遠い場所にあることが普通であり、このことも入浴を負担に感じさせていることの要因の一つになっている。
【０００５】
この入院中・施設滞在中の入浴介護を軽減し、病院・施設等の特殊条件下で、より望ましい入浴を行おうとするものが従来より提案されている。例えば、実開平６−２９５３８号公報ではベッドとシャワー入浴を組み合わせ、寝たきりの病人や老人を視覚によって確認しながら、楽な姿勢で容易に短時間で洗浄することができ、入浴者が圧迫感やのぼせ等の不快感を感じることがなく、入浴の準備や後始末が簡単な入浴装置が提案されている。
【０００６】
これは図１２に示すとおり、周壁１０４の上部に上方に凸に湾曲する覆い部１０８を設け、覆い部１０８の長手方向一端に開口部１１２を設けた中空カプセル１０２と、開口部１１２を介して中空カプセル１０２内に挿入されるベッド１０３とより成り、中空カプセル１０２はその内部にシャワーノズル１１５を装設し、その底部に排水装置を設け、覆い部１０８はその頂部に天窓１１０を設け、その側面に複数の腕挿入孔１１１を穿設し、ベッド１０３の長手方向一端部を開口部１１２から中空カプセル１０２の外方に露出するものであり、ここで病人や老人を視覚によって確認しながら、楽な姿勢で入浴させるものである。
【０００７】
【発明が解決しようとする課題】
入院中・施設滞在中の入浴介護を軽減し、病院・施設等の特殊条件下で、より望ましい入浴を行おうとする前述の従来例は、前述の利点を有しているが、より望ましい入院中・施設滞在中の入浴という観点からすると同時に次のような課題を有している。
【０００８】
従来例ではベッドとシャワー入浴を組み合わせ、寝たきりの病人や老人を視覚によって確認しながら、楽な姿勢で容易に短時間で洗浄することができるが、全身がシャワーにあたるため外科病棟においてギブスを装着している等の部分的にシャワーをあてたくない入院患者・施設滞在者には対応できていない。
【０００９】
また従来例では装置自身が大型になり、病院施設内の入浴設備は、本来の治療等の設備スペースの緊急性・必要性から、入院病棟においても地階など病室からは遠い場所にあることが普通であり、入院中・施設滞在中の入浴を負担に感じさせる課題に対しては解決できていない。
【００１０】
本発明ではこのような課題に対して、身体の一部分にシャワーをあてたくない入院患者・施設滞在者が入浴する際に、その部分にシャワー噴流を当てないようにするシャワー装置を提供するものである。
【００１１】
また同時に入院病棟において、トイレ等の病室近傍のスペースを利用できるような省ス
ペース型の入浴設備として提供し、地階など病室からは遠い場所にある入浴設備にわざわざ出向き、入院中・施設滞在中の入浴を負担に感じるという課題を解決しようとするものである。
【００１２】
【課題を解決するための手段】
本発明は上記課題を解決するため、シャワー装置本体に上下方向回転変位自在に支持さ
れ、複数の温水噴出用ノズルを有する左右一対のアームと、これら一対のアームの間に位置するように配置された着座手段と、前記着座手段に形成した孔を通して入浴者の下半身の特定部位に温水を噴出する温水噴出手段と、前記アームのノズル、および温水噴出手段からの温水噴出を量的に制御する温水制御手段とを具備し、前記温水噴出手段への温水系には水質変換手段を接続したもので、各温水噴出手段からの温水噴出を個別に停止することにより、身体の一部分にシャワーをあてたくない入院患者・施設滞在者が入浴する際に、その部分に温水噴出を当てないようにすることができるものである。
【００１３】
【発明の実施の形態】
本発明は、シャワー装置本体に上下方向回転変位自在に支持され、複数の温水噴出用ノズルを有する左右一対のアームと、これら一対のアームの間に位置するように配置された着座手段と、前記着座手段に形成した孔を通して入浴者の下半身の特定部位に温水を噴出する温水噴出手段と、前記アームのノズル、および温水噴出手段からの温水噴出を量的に制御する温水制御手段とを具備し、前記温水噴出手段への温水系には水質変換手段を接続したものである。
【００１４】
そして、入浴者が入浴する際、入浴者自ら又は入浴介護者がアームを移動することにより、アームの移動に合わせて、アームに取り付けられた温水噴出手段からの温水噴出を個別に停止させ、入浴者への温水噴出を当てる範囲を制限することが、アームの操作と兼ねてできるものである。
【００１５】
しかも、温水噴出が届きにくい入浴者の陰部または臀部などの特定部位を暖め易く、洗い易くすることができる。
【００１６】
また、水質変換手段を備え、温水噴出手段は前記水質変換手段により生成された酸性水を噴出する構造として、被噴出部に対する消毒ができる。
【００１７】
さらに、温水噴出手段は、薬剤を温水に混入して噴出する構造として、被噴出部に対する薬効が付加できる。
【００１８】
以下、本発明の実施例を述べる前に参考実施例について図面を用いて説明する。
【００１９】
（参考実施例１）
本発明の参考実施例１について、図１、図２を参照しながら説明する。
【００２０】
図１において、１はシャワー装置本体で、適所に設置してある給湯熱源（図示せず）と配管（図示せず）を介して接続してある。２はシャワー装置本体により支持された入浴者が着座する着座手段、３は着座した入浴者に温水を噴出する温水噴出手段、４は温水噴出手段３を有しシャワー装置本体１により支持されたアームであり、入浴者の左右両側に各々設けてある。着座手段２はシャワー装置本体１に固定または可動に支持されている。温水噴出手段３はシャワー装置本体１またはアーム４に合計で複数個が取り付けられている。
【００２１】
図２において１３は温水噴出手段３の主体をなすノズル、１４は水封のためのＯリング、１５はノズル押え板、１６はノズル固定板、１７はニードル弁である。ノズル押え板１５およびノズル固定板１６はシャワー装置本体１またはアーム４の構成部材の一部を挟み込む形で支持されている。Ｏリング１４はノズル押え板１５とノズル固定板１６によりノズル１３の水封ができるよう取り付けられている。ノズル１３はノズル押え板１５によりノズル固定板１６に圧着されている。
【００２２】
ニードル弁１７はノズル１３の温水流路途中に設けてあり、ニードル弁１７の上下動によって温水流路を遮断できる構造としてある。
【００２３】
次に動作、作用について説明する。入浴者が着座手段２に着座し、入浴者または介護者の操作により、温水噴出手段３から温水が入浴者に噴出される。この際入浴者が外科病棟において右腕部にギブスを装着している場合、入浴者の右側のアームに配置された温水噴出手段３のノズル１３の流路に設けたニードル弁１７を閉止し、入浴者の右側のアーム側からの温水噴出を停止させる。
【００２４】
なお、参考実施例１では、右腕部にギブスを装着した人に対する人体左右アームに配置された温水噴出手段の個別閉止について説明したが、着座した入浴者に対する温水を噴出する２つ以上の温水噴出手段の配置とその個別閉止によるメリットがある対象疾患は、他にも例えば頚椎損傷時の頚椎保護ギプスに対して、上半身への温水噴出範囲を限定する等、特に外科疾患を中心として様々な例が考えられる。さらにその様々な例に対応した位置に全て温水噴出手段を設け、その個別閉止、すなわち個別開閉制御により対象疾患ごとの温水噴出パターンを作成することも可能である。
【００２５】
また、個別開閉制御は、温水噴出手段３のノズル１３の流路に設けたニードル弁１７を閉止する例で説明したが、他にも電子制御によるもの等が考えられる。この場合遠隔操作が可能で、温水噴出パターンのワンタッチ選択など開閉以外の制御もできる等利点が多い。
【００２６】
（参考実施例２）
本発明の参考実施例２について、図３、図４、図５を参照しながら説明する。
【００２７】
図３において、アーム４はシャワー装置本体１に回転可動に支持されている。図４において、２１はボールバルブユニット、２２はシャワー装置本体１に設けたバルブ操作用溝部、２３はアーム４に取り付けられた温水噴出手段３への温水流路で、シャワー装置本体内の温水流路（図示せず）と接続されている。ボールバルブユニット２１はアーム４に設けた温水流路２３の流路途中に設けてある。図５（ａ）において、２５はボールバルブユニット２１の中のボールバルブで、温水流路２３を開放する位置にセットしてある。２６はボールバルブ２５に接続された操作用レバーで、バルブ操作用溝部２２を貫通するように設けてある。操作用レバー２６の回転に伴ってボールバルブユニット２１は流路に対して回転可能に構成してある。
【００２８】
なお、参考実施例１と同一符号のものは同一構造を有し、説明は省略する。
【００２９】
次に動作、作用について説明する。入浴者が着座手段２に着座し、入浴者または介護者の操作により、温水噴出手段３から温水が入浴者に噴出される。この際入浴者が外科病棟において右腕部にギブスを装着している場合、入浴者の右側のアーム４を回転させる。アーム４の回転に伴って操作用レバー２６がバルブ操作用溝部２２を通ってゆき、バルブ操作用溝部２２の軌道が単円からそれてゆくに伴って、操作用レバー２６が固定されたボールバルブ２５が回転し、図５（ｂ）に示すようにアーム４の回転が終了したところで温水流路２３を完全閉止する。
【００３０】
なお温水流路停止は、ボールバルブ２５、操作用レバー２６、溝部２２による機構的な例で説明したが、他にもアーム角度を検出する角度検出手段とその検出信号により温水流路に設けた電子制御バルブを用いるもの等が考えられる。
【００３１】
（参考実施例３）
本発明の参考実施例３について、図６を参照しながら説明する。
【００３２】
図６において、３０は着座した入浴者の下肢に向かって温水を噴出する温水噴出手段、３１は温水噴出手段３０への温水流路、３２は温水流路３１の流路途中に設けてある流路開閉装置で、ここでは実施例２で示したボールバルブおよびバルブ開閉レバーからなるボールバルブユニットとしてある。
【００３３】
なお、参考実施例１と同一符号のものは同一構造を有し、説明は省略する。
【００３４】
次に動作、作用について説明する。入浴者が着座手段２に着座し、入浴者または介護者の操作により、温水噴出手段３から温水が入浴者に噴出される。入浴者が下肢の冷えを感
じた際には流路開閉装置３２の操作用レバーを操作し温水流路３１を開放する。温水が温水噴出手段３０に供給され、入浴者の下肢に向かって温水を噴出する。
【００３５】
なお温水流路停止は、実施例２で説明したボールバルブ、操作用レバー、溝部による機構的な例で説明したが、他にも電子制御バルブを用いるもの等が考えられる。この場合遠隔操作可能、身体への温水噴出と合わせた温水パターンのワンタッチ選択など利点が多い。
【００３６】
（参考実施例４）
本発明の参考実施例４について、図７を参照しながら説明する。
【００３７】
図７において、３７は加熱手段としてのシャワー装置本体壁面に備えた赤外線放出ランプであり、入浴者の下肢に向かって赤外線輻射を行う方向で、着座手段２に設けてある。３８は加熱手段３７への通電路、３９は通電路３８の途中に設けたスイッチである。
【００３８】
なお、参考実施例１と同一符号のものは同一構造を有し、説明は省略する。
【００３９】
次に動作、作用について説明する。入浴者が着座手段２に着座し、入浴者または介護者の操作により、温水噴出手段３から温水が入浴者に噴出される。入浴者が下肢の冷えを感じた際にはスイッチ３９を操作し、加熱手段３７への通電を開始する。通電によって加熱手段３７から赤外線が入浴者の下肢に向かって輻射される。
【００４０】
なお加熱手段３７は着座手段２に備えた赤外線放出ランプとして説明したが、他にも被覆電熱線等による熱線輻射も考えられる。
【００４１】
（参考実施例５）
本発明の参考実施例５について、図８を参照しながら説明する。
【００４２】
図８において、４１は着座手段２の入浴者の下肢大腿部に接触する座面に埋設した被覆電熱線、４２は着座手段２の入浴者の下肢すね部に接触する座面に埋設した被覆電熱線、４３は被覆電熱線４１および被覆電熱線４２への通電路、４４は通電路４３の途中に設けたスイッチである。
【００４３】
なお、参考実施例１と同一符号のものは同一構造を有し、説明は省略する。
【００４４】
次に動作、作用について説明する。入浴者が着座手段２に着座し、入浴者または介護者の操作により、温水噴出手段３から温水が入浴者に噴出される。入浴者が下肢の冷えを感じた際にはスイッチ４４を操作し被覆電熱線４１および被覆電熱線４２への通電を開始する。通電によって被覆電熱線４１および被覆電熱線４２により着座手段２の着座面が暖められる。
【００４５】
なお上記被覆電熱線４１、４２はそれぞれ個別に通電制御可能とすれば好みに応じて暖房可能である。
【００４６】
上記各参考実施例をふまえ本発明の実施例を以下説明する。
【００４７】
（実施例１）
本発明の実施例１について、図９を参照しながら説明する。
【００４８】
図９において、４５は着座した入浴者の陰部または臀部に向かって温水を噴出する温水
噴出手段、４６は温水噴出手段４５への温水流路、４７は温水流路４６の流路途中に設けてある流路開閉装置で、ここでは実施例２で示したボールバルブおよびバルブ開閉レバーからなるボールバルブユニットとしてある。４８は着座手段２の座面に設けてある孔で、温水噴出手段４５からの温水噴出が通る様に設けてある。
【００４９】
なお、参考実施例１と同一符号のものは同一構造を有し、説明は省略する。
【００５０】
次に動作、作用について説明する。入浴者が着座手段２に着座し、入浴者または介護者の操作により、温水噴出手段３から温水が入浴者に噴出される。入浴者が臀部の冷えを感じた際、または陰部を洗おうとした際には、入浴者または介護者が流路開閉装置４７の操作用レバーを操作し温水流路４６を開放する。温水が温水噴出手段４５に供給され、着座面の孔４８を通って入浴者の陰部または臀部に向かって温水を噴出する。
【００５１】
なお温水流路停止は、実施例２で説明したボールバルブ、操作用レバー、溝部による機構的な例で説明したが、他にも電子制御バルブを用いるもの等が考えられる。この場合遠隔操作可能、身体への温水噴出と合わせた温水パターンのワンタッチ選択など利点が多い。
【００５２】
（実施例２）
本発明の実施例２について、図１０を参照しながら説明する。
【００５３】
図１０において、５１は温水流路４６の流路途中に設けてある水質変換手段で、ここでは流路に流れる温水に触れるように電極を設けた水イオン交換器で構成してあり、酸性イオン水、アルカリイオン水を生成し、酸性イオン水は温水流路４６に戻し、アルカリイオン水は排出路５３から排出する構造としてある。５２は電気分解手段５１を動作させるスイッチレバーである。
【００５４】
なお、参考実施例１および６と同一符号のものは同一構造を有し、説明は省略する。
【００５５】
次に動作、作用について説明する。入浴者が着座手段２に着座し、入浴者または介護者の操作により、温水噴出手段３から温水が入浴者に噴出される。入浴者が陰部を洗おうとした際には、入浴者または介護者が流路開閉装置４７の操作用レバーを操作し温水流路４６を開放する。また同時にスイッチレバー５２を操作し、電気分解手段５１を動作させる。これにより酸性水が温水噴出手段４５から、着座面の孔４８を通って入浴者の陰部または臀部に向かって噴出する。
【００５６】
なお酸性水は人体臀部および陰部に噴出する例として説明したが、他の温水噴出手段３から全身または身体の一部にを噴出することも考えられる。アトピー性皮膚炎などの場合に対応する場合にはこのような展開が必要である。
【００５７】
（実施例３）
本発明の実施例３について、図１１を参照しながら説明する。
【００５８】
図１１において、５５は温水に溶解できる形態の例えば液状皮膚消毒剤等の薬剤を貯蔵する貯蔵手段、５６は温水流路４６の流路に貯蔵手段５５からの薬剤を操作レバーにより自在に混入する混入手段、５７は混入手段５６を動作させる操作レバーである。
【００５９】
なお、参考実施例１および６と同一符号のものは同一構造を有し、説明は省略する。
【００６０】
次に動作、作用について説明する。入浴者が着座手段２に着座し、入浴者または介護者
の操作により、温水噴出手段３から温水が入浴者に噴出される。入浴者が陰部を洗おうとした際には、入浴者または介護者が流路開閉装置４７の操作用レバーを操作し温水流路４６を開放する。また同時にスイッチレバー５７を操作し、混入手段５６を動作させる。これにより薬剤が貯蔵手段５５から温水流路４６に混入し、温水噴出手段４５から着座面の孔４８を通って入浴者の陰部または臀部に向かって温水を噴出する。
【００６１】
なお皮膚消毒剤等の薬剤を混入した温水を人体臀部および陰部に噴出する例として説明したが、他の温水噴出手段３から全身または身体の一部に他の薬剤例えば皮膚保湿剤等を混入して噴出することも考えられる。乾燥性皮膚などの場合に対応する場合にはこのような展開が必要である。
【００６２】
なお、上記した各参考実施例、および各実施例は、特に病院等に入院中の入院患者の人々の入浴、または高齢者のための施設に入居中の障害を有する人々の入浴を例として記述したが、この他にも一般家庭においても同様に、部分的に温水噴出を当てないようにしたい、下肢を暖めたい、陰部または臀部を暖め易く、洗い易くしたい、被噴出部に対する消毒または薬効が欲しいケースは、在宅療養を始めとして数多く考えられる。加えて、病院等に限定されるものではなく一般家庭等、広く適応するものである。
【００６３】
【発明の効果】
以上のように本発明によれば、入浴者が着座手段に着座し入浴する際、各温水噴出手段からの温水噴出を任意に制御することにより、身体の一部分にシャワーをあてたくない入院患者・施設滞在者が入浴する際に、その部分に温水噴出を当てないようにすることができるという有利な効果を有する。
【００６４】
また入浴者が着座手段に着座し入浴する際、入浴者自ら又は入浴介護者がアームを移動することにより、アームの移動に合わせて、アームに取り付けられた温水噴出手段からの温水噴出を停止させ、入浴者への温水噴出を当てる範囲を制限することが、アームの操作と兼ねてできるので、操作の手間が軽減できるという有利な効果を有する。
【００６５】
また、着座姿勢のために温水が届きにくい入浴者の陰部または臀部の特定部位に温水を噴出するようにしているので、この部分も暖め易く、洗い易くすることができるという有利な効果を有する。
【００６６】
しかも、単なる温水噴出に加えて、酸性水を噴出するようにしたり、薬剤が混入された温水を噴出することにより、被噴出部に対する消毒や、薬効が付加できるという有利な効果を有する。
【図面の簡単な説明】
【図１】  本発明の参考実施例１のシャワー装置の構成図
【図２】  同参考実施例１のシャワー装置の温水噴出手段を示す詳細断面図
【図３】  本発明の参考実施例２のシャワー装置の構成図
【図４】  同参考実施例２のアーム取り付け部分の詳細図
【図５】  （ａ）同参考実施例２のバルブ操作の開時の動作説明図
（ｂ）同参考実施例２のバルブ操作の閉時の動作説明図
【図６】  本発明の参考実施例３のシャワー装置の構成図
【図７】  本発明の参考実施例４のシャワー装置の構成図
【図８】  本発明の参考実施例５のシャワー装置の構成図
【図９】  本発明の実施例１のシャワー装置の構成図
【図１０】  本発明の実施例２のシャワー装置の構成図
【図１１】  本発明の実施例３のシャワー装置の構成図
【図１２】  従来の入浴装置の説明図
【符号の説明】
１  シャワー装置本体
２  着座手段
３  温水噴出手段
４  アーム
１３  ノズル
１７  ニードル弁
２１  ボールバルブユニット
２２  バルブ操作用溝部
３０  温水噴出手段（下肢用）
３７  加熱手段
４１  被覆電熱線（大腿部用）
４２  被覆電熱線（すね部用）
４５  温水噴出手段（臀部用）
４８  座面孔
５１  電気分解手段
５５  薬剤貯蔵部
５６  薬剤混入手段
【図１】
0003817809.tif 000002
【図２】
0003817809.tif 000003
【図３】
0003817809.tif 000004
【図４】
0003817809.tif 000005
【図５】
0003817809.tif 000006
【図６】
0003817809.tif 000007
【図７】
0003817809.tif 000008
【図８】
0003817809.tif 000009
【図９】
0003817809.tif 000010
【図１０】
0003817809.tif 000011
【図１１】
0003817809.tif 000012
【図１２】
0003817809.tif 000013